(57)【要約】【課題】  抽出した検査液を複数の試薬と同時に混合することができ、複数の成分を一括して分析することができる簡易な構成の分析用チップを提供する。【解決手段】  検査液を複数の試薬と混合させる分析用チップであって、検査液と試薬を混合させるための複数の試料区画を備え、試料区画は、検査液を注入する検査液室と、試薬を収容する試薬室と、検査液室と試薬室とを分離する仕切りを有し、複数の試料区画の仕切りを同時に開口させて検査液室と試薬室とを連通させる連通機構を設けたことを特徴とする。【選択図】  図１
2016099214.tif 000002
【特許請求の範囲】
【請求項１】
検査液を複数の試薬と混合させる分析用チップであって、
前記検査液と前記試薬を混合させるための複数の試料区画を備え、
前記試料区画は、前記検査液を注入する検査液室と、前記試薬を収容する試薬室と、前記検査液室と前記試薬室とを分離する仕切りを有し、
前記複数の試料区画の前記仕切りを同時に開口させて前記検査液室と前記試薬室とを連通させる連通機構を設けたことを特徴とする分析用チップ。
【請求項２】
前記連通機構は、前記複数の試料区画を封止する蓋部と、前記蓋部に設けられ前記複数の試料区画内にそれぞれ配置される開口ピンとを備え、
前記複数の試料区画に対して前記蓋部を相対移動させることにより、前記開口ピンを前記仕切りに作用させて開口させることを特徴する請求項１に記載の分析用チップ。
【請求項３】
前記仕切りに破断可能な破断容易部を設けて、前記開口ピンから前記仕切りに外力を加えることにより、前記破断容易部を破断することを特徴する請求項２に記載の分析用チップ。
【請求項４】
前記仕切りに薄膜部材を用いて、前記開口ピンに設けた針部を前記薄膜部材に貫通させることにより、前記薄膜部材を開口させることを特徴する請求項２に記載の分析用チップ。
【請求項５】
前記仕切りに開口部を設けて、前記開口ピンの一部で前記開口部を開閉させることを特徴する請求項２に記載の分析用チップ。
【請求項６】
前記複数の試料区画が放射状に配置されており、
前記複数の試料区画が配置された円周上に前記開口ピンが配置されていることを特徴とする請求項２から５のいずれかに記載の分析用チップ。
【請求項７】
前記複数の試料区画が並列に配置されており、
前記複数の試料区画が配置された直線上に前記開口ピンが配置されていることを特徴とする請求項２から５のいずれかに記載の分析用チップ。
【発明の詳細な説明】
【技術分野】
【０００１】
本発明は、複数の試薬を用いて分析を行う分析用チップに関する。
【背景技術】
【０００２】
農作物の栽培において、肥培管理の基本データである土壌成分の情報は必要不可欠な情報であり、近年では、生産者自らが土壌分析を行う手法が開発されている。生産者自らが測定を行う土壌成分測定器は、土壌成分を抽出した検査液をその都度複数の試験管に目盛り付のスポイトで計量しながら注入し、その後、土壌成分毎に決められた試薬及び希釈液を試験管に注入し発色させる。そして、比色表、比濁表、または、吸光光度法等を用いて数値換算することで測定が行われている。
【０００３】
上述の測定方法は、土壌成分を抽出した検査液とそれぞれの試薬を混合する必要があり、繰り返し作業が多くなる。また、土壌成分に応じて試薬を作成する必要もあり、煩雑性が高いという課題がある。
【０００４】
近年では、上述の問題点に鑑みて、試薬を容器等に予め収容しておき、そこに抽出した検査液を混合することで、土壌成分を簡便に分析する手法が提案されている。
【０００５】
一例として、特許文献１には、図１３に示すように、検査液を導入するチャンバ２０１と、予め計量した試薬を収容したチャンバ２０２を備え、各チャンバをローラ２０４、２０５で加圧して、検査液と試薬を１つのチャンバ２０３に移送して混合する化学反応パック２００が開示されている。
【０００６】
また、特許文献２では、図１４に示すように、検査液と試薬を通路で隔て収容したパッケージ３０１をハブ３０２に複数固定し、破壊モジュール３０３に移送してハンマー及びローラでパッケージ３０１の通路を破壊して検査液と試薬を混合し、続いて測定モジュール３０４に移送して試薬と混合した検査液の色度を測定する分析装置３００が開示されている。
【先行技術文献】
【特許文献】
【０００７】
【特許文献１】特開平４−２１２０３６号公報
【特許文献２】特開平２−８７０６７号公報
【発明の概要】
【発明が解決しようとする課題】
【０００８】
しかしながら、特許文献１や特許文献２では、検査液と試薬を収容するチャンバやパッケージを１ずつ破壊して混合しているため、複数の試薬を用いる場合には時間がかかるという問題がある。また、特許文献２の分析装置のように、ハンマーやローラなどの大掛かりな機構が必要となり、分析装置のコストが増加する問題があった。
【０００９】
本発明は、上記の問題に鑑みて成されたものであり、その目的は、抽出した検査液を複数の試薬と同時に混合することができ、複数の成分を一括して分析することができる簡易な構成の分析用チップを提供することにある。
【課題を解決するための手段】
【００１０】
検査液を複数の試薬と混合させる分析用チップであって、検査液と試薬を混合させるための複数の試料区画を備え、試料区画は、検査液を注入する検査液室と、試薬を収容する試薬室と、検査液室と試薬室とを分離する仕切りを有し、複数の試料区画の仕切りを同時に開口させて検査液室と試薬室とを連通させる連通機構を設けたことを特徴とする。
【００１１】
連通機構は、複数の試料区画を封止する蓋部と、蓋部に設けられ複数の試料区画内にそれぞれ配置される開口ピンとを備え、複数の試料区画に対して蓋部を相対移動させることにより、開口ピンを仕切りに作用させて開口させることを特徴する。
【００１２】
仕切りに破断可能な破断容易部を設けて、開口ピンから仕切りに外力を加えることにより、破断容易部を破断することを特徴する。
【００１３】
仕切りに薄膜部材を用いて、開口ピンに設けた針部を薄膜部材に貫通させることにより、薄膜部材を開口させることを特徴する。
【００１４】
仕切りに開口部を設けて、開口ピンの一部で開口部を開閉させることを特徴する。
【００１５】
複数の試料区画が放射状に配置されており、複数の試料区画が配置された円周上に開口ピンが配置されていることを特徴とする。
【００１６】
複数の試料区画が並列に配置されており、複数の試料区画が配置された直線上に開口ピンが配置されていることを特徴とする。
【発明の効果】
【００１７】
抽出した検査液を複数の試薬と同時に混合することができ、複数の成分を一括して分析することができる簡易な構成の分析用チップを提供する。
【図面の簡単な説明】
【００１８】
【図１】実施形態１に係る分析用チップの構成概略図と、分析用チップの試料区画を上方から見た正面図である。
【図２】分析用チップに設けられる連通機構の構成概略図である。
【図３】連通機構に設けられる固定機構の構成概略図である。
【図４】１つの試料区画を拡大して上方から見た正面図である。
【図５】試料区画の仕切り板と、連通機構の開口ピンの配置を示す概略図である。
【図６】試料区画に設けられる測定部を示す断面図である。
【図７】実施形態２の分析用チップの試料区画を拡大して上方から見た正面図である。
【図８】実施形態３の分析用チップの連通機構を上方から見た平面図と、連通機構の開口ピンを示す断面図である。
【図９】実施形態４の分析用チップの試料区画の仕切り板と、連通機構の開口ピンの配置を示す概略図である。
【図１０】実施形態４の分析用チップの試料区画を拡大して上方から見た正面図である。
【図１１】実施形態５の分析用チップと連通機構の構成概略図である。
【図１２】実施形態５の分析用チップの試料区画を上方から見た平面図である。
【図１３】従来技術の化学反応パックの模式図である。
【図１４】従来技術の分析装置の模式図である。
【発明を実施するための形態】
【００１９】
以下、図面を参照しながら、本発明に係る分析用チップの実施形態について説明する。また、図面におけるそれぞれの構成部品の厚みや長さ等は、本発明の理解を助けるために示したものであり、本発明は、図示される構成に限定されるものではない。
【００２０】
（実施形態１）
図１（ａ）は、実施形態１に係る分析用チップ１０１の構成概略図である。また、図１（ｂ）は、分析用チップ１０１の内部を上方から見た正面図である。分析用チップ１０１は、円盤状のチップ本体１０を有し、チップ本体１０の中央には、分析装置に取り付ける穴部等による装着部１１が設けられている。また、分析用チップ１０１には、後述する連通機構３０、測定部４０が設けられている。
【００２１】
分析用チップ１０１のチップ本体１０の素材としては、例えば、ＡＢＳ、ＰＥＴ、ＰＰのような耐薬品性の高い樹脂材料が望ましい。また、分析用チップ１０１は、検査液の色度を光学測定するような場合、透明性を有する素材が好ましいが、図１（ａ）に示すように、測定部４０に別途ガラス材料や透明樹脂材料の窓を設けることでも対応が可能である。
【００２２】
分析用チップ１０１のチップ本体１０には、装着部１１を中心に、放射状に複数の試料区画２０が形成されている。なお、本実施形態においては、複数の試料区画２０が６つ形成されたチップ本体１０を用いた。複数の試料区画２０は、分析用チップ１０１の表面に露出して形成されるものではないが、内部構造を理解しやすいように実線で示している。
【００２３】
図１（ｂ）に示すように、分析用チップ１０１の各試料区画２０は、検査液室２１と、試薬室２２と、検査液室２１と試薬室２２を分離する仕切り２３が設けられている。また、試料区画２０には、後述する連通機構３０の一部である開口ピン３３が配置されている。
【００２４】
なお、２種以上の試薬を用いる場合は、試料区画２０にさらに追加の試薬室２２と仕切り２３を設けた構成としてもよい。これにより、分解または化学反応を起こしやすい用時調製試薬を用いる場合、用時調製試薬を別々に保存し、任意のタイミングで混合して調製することができる。
【００２５】
各試料区画２０において、検査液室２１は分析成分を抽出した検査液を注入する部屋であり、試薬室２２は分析成分を測定するために予め計量された試薬を収容しておく部屋である。本実施形態では、例えば、Ｍｇ成分の測定に当たって、キシリジルブルー+Triton X-100+トリエタノールアミン+硫酸ナトリウム+GEDTA+テトラエチレンペンタミン+リン酸水素2ナトリウム+水酸化ナトリウム溶液の混合溶液を試薬として用いている。また、他の分析成分を測定するための試薬を一例として下記の表１に示す。
【００２６】
【表１】
2016099214.tif 000003
【００２７】
図２は、分析用チップ１０１に備えられる連通機構３０の構成概略図である。図２を用いて、連通機構３０の構造について説明する。連通機構３０は、複数の試料区画２０を封止する蓋部３１と、蓋部３１の上部に設けられた突起部３２と下部に設けられた開口ピン３３を備えている。蓋部３１は、全体が試料区画２０の配列に合わせて円環状の形をしており、チップ本体１０と同様に、ＡＢＳ、ＰＥＴ、ＰＰ等の耐薬品性の高い樹脂材料で形成されている。
【００２８】
開口ピン３３は、円形または多角形の断面を有する柱状体であり、図１（ｂ）に示すように、試料区画２０の内部に挿入され、仕切り２３の近傍に配置される。したがって、連通機構３０には、少なくとも試料区画２０と同数以上の開口ピン３３が設けられている。
【００２９】
連通機構３０は、突起部３２を支持して蓋部３１をチップ本体１０に対して回転（相対移動）させることにより、蓋部３１に設けた開口ピン３３を試料区画２０の内部で移動させる。これにより、蓋部３１を回転させる外力を開口ピン３３から仕切り２３に伝達して、仕切り２３を開口させて検査液室２１と試薬室２２を連通させる構造となっている。
【００３０】
なお、蓋部３１に設ける突起部３２は、連通機構３０に外力（回転）を与える際に蓋部３１を支持する部分であり、突起形状の代わりに、当該部位に凹みを設け、それを利用して力を加えてもよい。
【００３１】
図３は、連通機構３０に設けられる固定機構３４を拡大して上方から見た正面図である。連通機構３０は、例えば、図３に示すように、蓋部３１とチップ本体１０との相対位置を固定する固定機構３４を設けて、検査液室２１と試薬室２２を連通した後、蓋部３１とチップ本体１０との相対位置を固定することが好ましい。
【００３２】
固定機構３４により検査液室２１と試薬室２２との連通状態が安定し、抽出液や試薬の移送・混合が阻害されることを防止できる。固定機構３４は、例えば、図３に示すように、蓋部３１とチップ本体１０に咬合する凹凸を設けて固定するような機構を用いることができる。
【００３３】
また、連通機構３０は、蓋部３１をチップ本体１０に対し相対移動させる時、蓋部３１とチップ本体１０との間に意図しない隙間が生じて、検査液や試薬の液漏れを発生する恐れがある。このような液漏れを回避するため、連通機構３０は、例えば、蓋部３１の底面にゴムシートのような弾性部材を設けて、チップ本体１０に対し圧接してシールすることが好ましい。
【００３４】
なお、開口ピン３３の大きさによっては、ゴムシート部と開口ピンが接触する位置でゴムシートが変形を吸収できず、開口ピン３３周辺に大きな空隙を生ずる可能性があるため、接触部分の開口ピン３３の直径（またはそれに相当する辺の長さ）を細くすることで、仕切り２３を開口させる機能を有しつつ、連通機構３０からの液漏れを防止することができる。
【００３５】
図４は、試料区画２０の１つを拡大して上方から見た正面図である。また、図５は、試料区画２０に設けられた仕切り２３と、試料区画２０内に配置された開口ピン３３を側方から見た正面図である。図４および図５を用いて、開口ピン３３による仕切り２３の開口動作について説明する。
【００３６】
図４に示すように、開口ピン３３は、連通機構３０の蓋部３１を回転させる外力により試料区画２０内を回転方向に移動する。このとき、開口ピン３３は仕切り２３に当接して外力（図４の矢印）を伝達する。
【００３７】
一方、図５に示すように、仕切り２３には、外力により容易に破断されるよう、溝状の破断容易部２４が設けられている。このため、仕切り２３は、開口ピン３３の移動に伴って外力を受けると破断容易部２４に沿って破断されていき、仕切り２３の一端が支点２５となって弧を描いて変形することで開口部が形成される。
【００３８】
試料区画２０の検査液室２１と試薬室２２は、仕切り２３の開口により連通した状態となり、この状態で分析装置により遠心力を与えることで、検査液室２１の検査液を試薬室２２の試薬に移送して混合させることができる。
【００３９】
このとき、遠心力による検査液の移送を妨げないよう、仕切り２３は半径方向に対して傾斜して取り付けられていることが好ましい。
【００４０】
本発明の分析用チップ１０１では、各試料区画２０に対応する仕切り２３と開口ピン３３が設けられており、連通機構３０に外力（回転）を加えると、一度の動作で複数の試料区画２０の検査液と試薬を同時に混合して、複数の分析成分を一括して測定することができる。
【００４１】
図６は、試料区画２０に備えられた測定部４０を示す断面図である。試料区画２０の試薬室２２の最外周には分析成分を測定するための測定部４０が設けられている。測定部４０には分析成分の測定に適した測定手段が設けられている。
【００４２】
図６（ａ）に示す測定部４０は、吸光度測定のような光学測定を行う場合の一例である。測定部４０の上下には測定窓４１が設けられ、分析装置の光源から供給される光がここを透過し、受光部に到達することで、検査液と試薬の混合液の吸光度が測定される。ここで、測定部４０の天面が試薬室２２の天面よりも低く設けられ、混合液の液面が測定部４０の天面より上になることが望ましい。
【００４３】
このような液面の管理により、測定部４０に気泡が残留することが防止され、気泡に起因する測定誤差を排除することができる。なお、上記構成により測定部４０の光路長が短くなり測定精度の低下が懸念される場合、測定部４０の底面位置を下げることで光路長を調整しても良い。
【００４４】
図６（ｂ）に示す測定部４０は、電気的測定を行う場合の一例である。測定部４０では分析用チップ１０１の外壁から試薬室２２内に測定電極４２が挿入されている。また、分析用チップ１０１の外壁には、電気的コンタクトを取るための平板が貼り付けられており、この部分に分析装置側の電圧計のコネクト部を接触させて、混合液の電気伝導度等を測定する。
【００４５】
図示しないが、本発明の分析用チップ１０１を用いる分析装置は、装置構成として、分析用チップ１０１の連通機構３０を動作させるための駆動系、検査液を試薬に混合するための回転機構や振とう機構、対象成分を測定するための測定ユニット、測定結果を表示する表示ユニットなどを備えることが好ましい。
【００４６】
上記分析装置の構成によれば、分析用チップ１０１をセットした後、連通機構３０を動作させて検査液室２１と試薬室２２を連通させた後、続けて分析用チップ１０１を回転・振とうさせて、検査液と試薬の混合作業から複数の分析成分の測定まで自動測定を行うことができる。
【００４７】
以上のように、本発明は、検査液を複数の試薬と混合させる分析用チップであって、検査液と試薬を混合させるための複数の試料区画を備え、試料区画は、検査液を注入する検査液室と、試薬を収容する試薬室と、検査液室と試薬室とを分離する仕切りを有し、複数の試料区画の仕切りを同時に開口させて検査液室と試薬室とを連通させる連通機構を設けたことを特徴とする。
【００４８】
本発明の分析用チップによれば、複数の試薬を分離した状態で保管することができ、分析時には連通機構を用いて、検査液を分析成分に対応した各試薬に一括して混合させることができる。これにより、検査液と各試薬との複数の混合液を作成するための作業負荷を低減することができる。また、簡便な連通機構の構成により、分析用チップや分析装置のコストを削減することができる。
【００４９】
（実施形態２）
図７は、実施形態２に係る分析用チップ１０２に備えられる試料区画２０を拡大して上方から見た正面図である。なお、実施形態２では仕切り２３及び連通機構３０の構成と動作が異なっており、他の構成については実施形態１と同じであるため詳細な説明は省略する。
【００５０】
実施形態２の分析用チップ１０２は、仕切り２３の試薬室２２側の面に円筒形の連結部２３ａが設けられている。連結部２３ａの内部には連通機構３０の開口ピン３３が挿入される。また、実施形態１の分析用チップ１０１と同様に、仕切り２３には溝状の破断容易部２４が設けられている。
【００５１】
本実施形態の分析用チップ１０２においても、仕切り２３が開口ピン３３の移動に伴って破断容易部２４に沿って破断されていき仕切り２３に開口部が形成されるものであるが、開口ピン３３が連結部２３ａに連結されているため、開口ピン３３と仕切り２３の遊びがなく、仕切り２３の開口度合いの微調整を行いやすくすることができる。
【００５２】
（実施形態３）
図８は、実施形態３に係る分析用チップ１０３に備えられる連通機構３０を上方から見た平面図（ａ）と、連通機構３０に備えられる開口ピン３３を示す断面図（ｂ）である。なお、実施形態３の分析用チップ１０３は、仕切り２３及び連通機構３０の構成と動作が異なっており、他の構成については実施形態１と同じであるため詳細な説明は省略する。
【００５３】
実施形態３の分析用チップ１０３では、図８（ｂ）に示すように、仕切り２３に針状の部材で貫通させることができる薄膜部材２３ｂを用いている。また、連通機構３０には、開口ピン３３に薄膜部材２３ｂを貫通させるための針部３６を設けている。また、連通機構３０には、開口ピン３３を外側に押し出すカム機構３５を追加している。
【００５４】
分析用チップ１０３は、図８（ａ）に示すように、連通機構３０のカム機構３５を駆動（回転）させることにより、開口ピン３３を外側に押し出して、開口ピン３３に設けた針部３６を仕切り２３の薄膜部材２３ｂに貫通させる。貫通後、カム機構３５により再び開口ピン３３を内側に引き込み、薄膜部材２３ｂから針部３６を抜いて貫通孔を形成する。実施形態３の分析用チップ１０３では、この貫通孔を開口部として検査液室２１と試薬室２２を連通して、検査液を試薬に混合させる。
【００５５】
実施形態３の分析用チップ１０３では、比較的に小さな開口部を形成することができるので、検査液を試薬に少しずつ混合させたい場合に適している。なお、開口部の面積は、針部３６の径や針部３６の個数を変更して調整することができる。
【００５６】
（実施形態４）
図９は、実施形態４に係る分析用チップ１０４において、試料区画２０に設けた仕切り２３と、試料区画２０内に挿入した開口ピン３３を側方から見た正面図である。また、図１０は、本実施形態における分析用チップ１０４に備えられる試料区画２０を拡大して上方から見た正面図である。なお、本実施形態においては、分析用チップ１０４は、仕切り２３及び連通機構３０の構成と動作が異なっており、他の構成については実施形態１と同じであるため詳細な説明を省略する。
【００５７】
実施形態４の分析用チップ１０４は、仕切り２３の一部に開口部２６を設けている。また、実施形態４の連通機構３０において、開口ピン３３ａは開口部２６を閉鎖するシール機能を有する。
【００５８】
連通機構３０は、初期状態として開口ピン３３ａで仕切り２３の開口部２６を閉鎖するように配置している。また、開口ピン３３ａは、各液室の密閉度を高めるため、開口部２６をシールする部分の表面がゴム材など比較的弾力性のある材料で構成され、開口部２６に押し付けられるように配置されることが好ましい。また、開口ピン３３ａのシール部分と開口部２６との接触面は、仕切り２３が形成する面に倣う形状であることが密閉性の点から好ましい。
【００５９】
本実施形態の分析用チップ１０４で用いる仕切り２３及び開口ピン３３ａの形状について、一例として図１０の（ａ）、（ｂ）に示す。図１０（ａ）の例では円弧状の板形状のシール部を有する開口ピン３３ａを用いて開口部２６を塞いでいる。検査液室２１と試薬室２２を連通させる場合、開口ピン３３ａ（シール部）を仕切り２３に沿って周方向にスライドさせて開口部２６を開放する。
【００６０】
図１０（ｂ）の例では円柱形状のシール部を有する開口ピン３３ａを用いて開口部２６を塞いでいる。図１０（ｂ）の例も同様に、検査液室２１と試薬室２２を連通させる場合、開口ピン３３ａ（シール部）を仕切り２３に沿って周方向にスライドさせて開口部２６を開放する。なお、この構成では、開口ピン３３ａを位置決め固定する凹凸を設けることができ、連通機構３０に実施形態１で示した固定機構３４の機能を付与することができる。
【００６１】
（実施形態５）
図１１は、実施形態５に係る分析用チップ１０５と、分析用チップ１０５に備えられる連通機構３０の構成概略図である。なお、本実施形態においては、分析用チップ１０５の形状、試料区画２０の構成、及び連通機構３０の形状が異なっており、他の構成については実施形態１から４の分析用チップで示した構成と同じであるため詳細な説明を省略する。
【００６２】
実施形態５の分析用チップ１０５は、図１１（ａ）に示すようにチップ本体１０が方形形状を有しており、例えば、分析装置の載置台１１０上に設けられた取り付け爪５１により、分析用チップ１０５の外周を挟み込むような形で取り付けられる。
【００６３】
図１２は、実施形態５に係る分析用チップ１０５の試料区画２０を上方から見た平面図である。チップ本体１０の内部には、複数の方形形状の試料区画２０が並列に設置されている。それぞれの試料区画２０は、実施形態１と同様に、仕切り２３で分離された検査液室２１と試薬室２２を有し、仕切り２３の近傍には連通機構３０の開口ピン３３が配置されている。
【００６４】
なお、図１２に示す試料区画２０は、説明を簡略化して、分析成分を抽出した検査液を導入する検査液室２１と、分析成分に対応した試薬を保管する試薬室２２の２部屋の構造を説明しているが、２種以上の試薬を用いる場合は、それに合わせて試薬室２２と仕切り２３を追加し、任意のタイミングで試薬を導入し、混合することも対応可能である。分析用チップ１０５は、連通機構３０ａにより検査液室２１と試薬室２２を連通し、分析用チップ１０５に振動を加えることで検査液と試薬を振とう、混合し、測定部にて測定を行う。
【００６５】
連通機構３０ａは、図１１（ｂ）に示すように、全体が短冊状の蓋部３１と、蓋部３１に設けられた突起部３２と開口ピン３３により構成されている。蓋部３１は、複数の試料区画２０上に跨って封止し、各試料区画２０内の仕切り２３に開口ピン３３を近接させて配置している。なお、図１１及び図１２には、断面が円形の開口ピン３３を記載しているが、必ずしも円形である必要は無く、多角形型の開口ピン３３を採用してもかまわない。
【００６６】
連通機構３０ａにおいて、検査液室２１と試薬室２２を連通する際には、連通機構３０ａの突起部３２を利用し、仕切り２３の面に対し斜め方向の力を加えることによって、仕切り２３に外力を与えて破断させ、仕切り２３を開口させている。このとき、斜め方向に力を加えることで仕切り２３に弧を描かせて変形させるとともに、開口ピン３３が流路上に留まり、抽出液及び試薬の流れの妨げになることを防いでいる。また、蓋部３１に設ける突起部３２は、連通機構３０ａに外力を伝える際のサポートを行うものであり、突起形状の代わりに、当該部位に凹みを設け、それを利用して力を加えてもよい。
【００６７】
連通機構３０ａには、実施形態１と同様の固定機構３４を設けて、各液室の連通後に連通機構３０ａを固定して、検査液室２１と試薬室２２との連通状態を保持し、移送・混合の過程が阻害されないようにすることが好ましい。
【００６８】
今回開示された実施形態はすべての点で例示であって制限的なものではないと考えられるべきである。本発明の範囲は前記した説明ではなくて特許請求の範囲によって示され、特許請求の範囲と均等の意味及び範囲内でのすべての変更が含まれることが意図される。
【産業上の利用可能性】
【００６９】
本発明は、検査液を複数の試薬と混合させる分析用チップとして優れた効果を奏するものであり、土壌分析、水質分析など各種環境分析に利用することができる。
【符号の説明】
【００７０】
１０  チップ本体
１１  装着部
２０  試料区画
２１  検査液室
２２  試薬室
２３  仕切り
２３ａ  連結部
２３ｂ  薄膜部材
２４  破断容易部
２５  支点
２６  開口部
３０、３０ａ  連通機構
３１  蓋部
３２  突起部
３３、３３ａ  開口ピン
３４  固定機構
３５  カム機構
３６  針部
４０  測定部
４１  測定窓
４２  測定電極
５１  取り付け爪
１０１、１０２、１０３、１０４、１０５  分析用チップ
１１０  載置台
【図１】
2016099214.tif 000004
【図２】
2016099214.tif 000005
【図３】
2016099214.tif 000006
【図４】
2016099214.tif 000007
【図５】
2016099214.tif 000008
【図６】
2016099214.tif 000009
【図７】
2016099214.tif 000010
【図８】
2016099214.tif 000011
【図９】
2016099214.tif 000012
【図１０】
2016099214.tif 000013
【図１１】
2016099214.tif 000014
【図１２】
2016099214.tif 000015
【図１３】
2016099214.tif 000016
【図１４】
2016099214.tif 000017